(57)【要約】【課題】再生映像を部分的に目隠しすることができる機能を有する情報記録再生装置を提供する。【解決手段】タイトルの再生が行われると、システムコントローラは、目隠し位置テーブルを参照して、再生経過時間が目隠し開始時間になったことを検知すると、当該目隠し開始時間に対応する目隠しの位置と目隠しの面積に基づいて目的の箇所の目隠しを当該タイトルの再生映像に対して開始させる。そして、再生経過時間が目隠し終了時間になったことを検知すると、前記目的の箇所の目隠しを終了させる。このような処理を繰り返し、目隠し位置テーブルの該当内容の参照が全部完了するまで、目隠し処理を行う。これにより、当該タイトルの再生映像は、カーソルＨの領域で部分的に目隠しされた映像となり、子供などに不適当な箇所の映像を見られることが無くなる。【選択図】図３
2008140496.tif 000002
【特許請求の範囲】
【請求項１】
少なくとも映像音声情報が記録された光ディスクの情報を再生して得られた信号をモニタ装置に出力することによって、モニタ装置において映像を表示すると共に音声を出力する情報記録再生装置において、
映像を部分的に目隠ししたいタイトルが光ディスクから再生されているときに、ユーザが目隠しの操作を実施するための目隠し開始指示を検知すると、再生を一時停止させると共に、この時点の再生経過時間を目隠し開始時間として目隠し位置テーブルに設定する目隠し開始時間設定手段と、
前記目隠し開始時間が設定された後、モニタ装置のディスプレイ装置の画面上に目隠しの位置と目隠しの面積を決定するためのカーソルを表示させるカーソル表示手段と、
前記カーソルにより決定された目隠しの位置と目隠しの面積を目隠し位置テーブルに設定する目隠しの位置・面積設定手段と、
前記目隠しの位置と目隠しの面積が設定された後、再生指示を検知すると、再生を再び開始させる第１の再生開始手段と、
前記再生指示により光ディスクの情報が再び再生されているときに、目隠し終了指示を検知すると、再生を一時停止させると共に、この時点の再生経過時間を目隠し終了時間として目隠し位置テーブルに設定する目隠し終了時間設定手段と、
前記目隠し終了時間が設定された後、再生指示を検知すると、再生を再び開始させる第２の再生開始手段と、
当該タイトルの再生が終了したときに、パスワード設定画面をディスプレイ装置に表示させるパスワード設定画面表示手段と、
前記パスワード設定画面にて設定されたパスワードをメモリに格納するパスワード格納手段と、
当該タイトルは目隠し設定済みであることを示す目隠し設定済み情報を、ディスク識別情報とタイトル番号に対応させてメモリに格納する目隠し設定済み情報格納手段と、を有する目隠し設定処理部と、
光ディスクからタイトルの再生が開始したときに、当該タイトルが目隠し設定済みタイトルであるか否かを前記目隠し設定済み情報に基づいて判定する目隠し設定済みタイトル判定手段と、
当該タイトルが目隠し設定済みタイトルであると判定されたときに、再生を一時停止させ、パスワード入力画面をディスプレイ装置に表示させるパスワード入力画面表示手段と、
前記パスワード入力画面にて入力されたパスワードが前記メモリに格納されたパスワードと一致するか否かを判定するパスワード判定手段と、
前記両パスワードが一致したと判定されたときに、前記目隠し位置テーブルを参照せずに通常再生を行う通常再生制御手段と、
前記両パスワードが不一致と判定されたとき、または前記パスワード入力画面へのパスワードの入力が所定時間経過しても無かったときに、目隠し再生を開始させる目隠し再生制御手段と、
前記目隠し再生が行われているとき、前記目隠し位置テーブルを参照して再生経過時間が目隠し開始時間になったことを検知すると、当該目隠し開始時間に対応する目隠しの位置と目隠しの面積に基づいて目的の箇所の目隠しを開始させる目隠し開始手段と、
前記目隠し位置テーブルを参照して再生経過時間が目隠し終了時間になったことを検知すると、前記目的の箇所の目隠しを終了させる目隠し終了手段と、を有する目隠し制御部と、を備えたことを特徴とする情報記録再生装置。
【請求項２】
少なくとも映像音声情報が記録されたハードディスクの情報を再生して得られた信号をモニタ装置に出力することによって、モニタ装置において映像を表示すると共に音声を出力する情報記録再生装置において、
映像を部分的に目隠ししたいタイトルがハードディスクから再生されているときに、ユーザが目隠しの操作を実施するための目隠し開始指示を検知すると、再生を一時停止させると共に、この時点の再生経過時間を目隠し開始時間として目隠し位置テーブルに設定する目隠し開始時間設定手段と、
前記目隠し開始時間が設定された後、モニタ装置のディスプレイ装置の画面上に目隠しの位置と目隠しの面積を決定するためのカーソルを表示させるカーソル表示手段と、
前記カーソルにより決定された目隠しの位置と目隠しの面積を目隠し位置テーブルに設定する目隠しの位置・面積設定手段と、
前記目隠しの位置と目隠しの面積が設定された後、再生指示を検知すると、再生を再び開始させる第１の再生開始手段と、
前記再生指示によりハードディスクの情報が再び再生されているときに、目隠し終了指示を検知すると、再生を一時停止させると共に、この時点の再生経過時間を目隠し終了時間として目隠し位置テーブルに設定する目隠し終了時間設定手段と、
前記目隠し終了時間が設定された後、再生指示を検知すると、再生を再び開始させる第２の再生開始手段と、を有する目隠し設定処理部と、
ハードディスクからハードディスクへのダビング開始時、またはハードディスクから光ディスクへのダビング開始時に、ハードディスクからタイトルの再生が開始したときに、当該タイトルが目隠し設定済みタイトルであるか否かを前記目隠し設定済み情報に基づいて判定する目隠し設定済みタイトル判定手段と、
当該タイトルが目隠し設定済みタイトルであると判定され、目隠し再生が行われているとき、前記目隠し位置テーブルを参照して再生経過時間が目隠し開始時間になったことを検知すると、当該目隠し開始時間に対応する目隠しの位置と目隠しの面積に基づいて当該タイトルの元のデータへの上書きによって目的の箇所の目隠しを開始させる目隠し開始手段と、
前記目隠し位置テーブルを参照して再生経過時間が目隠し終了時間になったことを検知すると、前記目的の箇所の目隠しを終了させる目隠し終了手段と、を有する目隠し制御部と、を備えたことを特徴とする情報記録再生装置。
【請求項３】
少なくとも映像音声情報が記録された光ディスクの情報を再生して得られた信号をモニタ装置に出力することによって、モニタ装置において映像を表示すると共に音声を出力する情報記録再生装置において、
映像を部分的に目隠ししたいタイトルが光ディスクから再生されているときに、ユーザが目隠しの操作を実施するための目隠し開始指示を検知することによる目隠し開始時間と、カーソルにより決定された目隠しの位置と目隠しの面積と、目隠し終了指示を検知することによる目隠し終了時間とを目隠し位置テーブルに設定し、更に、当該タイトルの再生が終了したときに、目隠しを解除するためのパスワードと、当該タイトルが目隠し設定済みであることを示す目隠し設定済み情報とをメモリに格納する目隠し設定処理部と、
光ディスクからタイトルの再生が開始し、当該タイトルが目隠し設定済みタイトルであると判定して、更に、入力されたパスワードと前記メモリに格納されたパスワードと一致すると判定したとき、前記目隠し位置テーブルを参照せずに通常再生を行い、前記両パスワードが不一致と判定されたとき、または前記パスワードの入力が所定時間経過しても無かったときに、目隠し再生を開始させ、前記目隠し位置テーブルを参照して再生経過時間が目隠し開始時間になったことを検知すると、当該目隠し開始時間に対応する目隠しの位置と目隠しの面積に基づいて目的の箇所の目隠しを開始させ、前記目隠し位置テーブルを参照して再生経過時間が目隠し終了時間になったことを検知すると、前記目的の箇所の目隠しを終了させる目隠し制御部と、を備えたことを特徴とする情報記録再生装置。
【請求項４】
少なくとも映像音声情報が記録されたハードディスクの情報を再生して得られた信号をモニタ装置に出力することによって、モニタ装置において映像を表示すると共に音声を出力する情報記録再生装置において、
映像を部分的に目隠ししたいタイトルがハードディスクから再生されているときに、ユーザが目隠しの操作を実施するための目隠し開始指示を検知することによる目隠し開始時間と、カーソルにより決定された目隠しの位置と目隠しの面積と、目隠し終了指示を検知することによる目隠し終了時間とを目隠し位置テーブルに設定する目隠し設定処理部と、
ハードディスクからハードディスクへのダビング開始時、またはハードディスクから光ディスクへのダビング開始時に、ハードディスクからタイトルの再生が開始したときに、当該タイトルが目隠し設定済みタイトルであると判定し、目隠し再生を行っているとき、前記目隠し位置テーブルを参照して再生経過時間が目隠し開始時間になったことを検知すると、当該目隠し開始時間に対応する目隠しの位置と目隠しの面積に基づいて当該タイトルの元のデータへの上書きによって目的の箇所の目隠しを開始させ、前記目隠し位置テーブルを参照して再生経過時間が目隠し終了時間になったことを検知すると、前記目的の箇所の目隠しを終了させる目隠し制御部と、を備えたことを特徴とする情報記録再生装置。
【請求項５】
前記目隠し設定処理部は、映像を部分的に目隠ししたいタイトルが光ディスクから再生されているときに、ユーザが目隠しの操作を実施するための目隠し開始指示を検知すると、再生を一時停止させると共に、この時点の再生経過時間を目隠し開始時間として目隠し位置テーブルに設定する目隠し開始時間設定手段と、前記目隠し開始時間が設定された後、モニタ装置のディスプレイ装置の画面上に目隠しの位置と目隠しの面積を決定するためのカーソルを表示させるカーソル表示手段と、前記カーソルにより決定された目隠しの位置と目隠しの面積を目隠し位置テーブルに設定する目隠しの位置・面積設定手段と、前記目隠しの位置と目隠しの面積が設定された後、再生指示を検知すると、再生を再び開始させる第１の再生開始手段と、前記再生指示により光ディスクの情報が再び再生されているときに、目隠し終了指示を検知すると、再生を一時停止させると共に、この時点の再生経過時間を目隠し終了時間として目隠し位置テーブルに設定する目隠し終了時間設定手段と、前記目隠し終了時間が設定された後、再生指示を検知すると、再生を再び開始させる第２の再生開始手段と、当該タイトルの再生が終了したときに、パスワード設定画面をディスプレイ装置に表示させるパスワード設定画面表示手段と、前記パスワード設定画面にて設定されたパスワードをメモリに格納するパスワード格納手段と、当該タイトルは目隠し設定済みであることを示す目隠し設定済み情報を、ディスク識別情報とタイトル番号に対応させてメモリに格納する目隠し設定済み情報格納手段とを有し、
前記目隠し制御部は、光ディスクからタイトルの再生が開始したときに、当該タイトルが目隠し設定済みタイトルであるか否かを前記目隠し設定済み情報に基づいて判定する目隠し設定済みタイトル判定手段と、当該タイトルが目隠し設定済みタイトルであると判定されたときに、再生を一時停止させ、パスワード入力画面をディスプレイ装置に表示させるパスワード入力画面表示手段と、前記パスワード入力画面にて入力されたパスワードが前記メモリに格納されたパスワードと一致するか否かを判定するパスワード判定手段と、前記両パスワードが一致したと判定されたときに、前記目隠し位置テーブルを参照せずに通常再生を行う通常再生制御手段と、前記両パスワードが不一致と判定されたとき、または前記パスワード入力画面へのパスワードの入力が所定時間経過しても無かったときに、目隠し再生を開始させる目隠し再生制御手段と、前記目隠し再生が行われているとき、前記目隠し位置テーブルを参照して再生経過時間が目隠し開始時間になったことを検知すると、当該目隠し開始時間に対応する目隠しの位置と目隠しの面積に基づいて目的の箇所の目隠しを開始させる目隠し開始手段と、前記目隠し位置テーブルを参照して再生経過時間が目隠し終了時間になったことを検知すると、前記目的の箇所の目隠しを終了させる目隠し終了手段とを有することを特徴とする請求項３に記載の情報記録再生装置。
【請求項６】
前記目隠し設定処理部は、映像を部分的に目隠ししたいタイトルがハードディスクから再生されているときに、ユーザが目隠しの操作を実施するための目隠し開始指示を検知すると、再生を一時停止させると共に、この時点の再生経過時間を目隠し開始時間として目隠し位置テーブルに設定する目隠し開始時間設定手段と、前記目隠し開始時間が設定された後、モニタ装置のディスプレイ装置の画面上に目隠しの位置と目隠しの面積を決定するためのカーソルを表示させるカーソル表示手段と、前記カーソルにより決定された目隠しの位置と目隠しの面積を目隠し位置テーブルに設定する目隠しの位置・面積設定手段と、前記目隠しの位置と目隠しの面積が設定された後、再生指示を検知すると、再生を再び開始させる第１の再生開始手段と、前記再生指示によりハードディスクの情報が再び再生されているときに、目隠し終了指示を検知すると、再生を一時停止させると共に、この時点の再生経過時間を目隠し終了時間として目隠し位置テーブルに設定する目隠し終了時間設定手段と、前記目隠し終了時間が設定された後、再生指示を検知すると、再生を再び開始させる第２の再生開始手段とを有し、
前記目隠し制御部は、ハードディスクからハードディスクへのダビング開始時、またはハードディスクから光ディスクへのダビング開始時に、ハードディスクからタイトルの再生が開始したときに、当該タイトルが目隠し設定済みタイトルであるか否かを前記目隠し設定済み情報に基づいて判定する目隠し設定済みタイトル判定手段と、当該タイトルが目隠し設定済みタイトルであると判定され、目隠し再生が行われているとき、前記目隠し位置テーブルを参照して再生経過時間が目隠し開始時間になったことを検知すると、当該目隠し開始時間に対応する目隠しの位置と目隠しの面積に基づいて当該タイトルの元のデータへの上書きによって目的の箇所の目隠しを開始させる目隠し開始手段と、前記目隠し位置テーブルを参照して再生経過時間が目隠し終了時間になったことを検知すると、前記目的の箇所の目隠しを終了させる目隠し終了手段とを有することを特徴とする請求項４に記載の情報記録再生装置。
【発明の詳細な説明】
【技術分野】
【０００１】
本発明は、少なくとも映像音声情報が記録された光ディスクの情報を再生して得られた信号をモニタ装置に出力することによって、モニタ装置において映像を表示すると共に音声を出力するＤＶＤレコーダやハードディスクレコーダなどの情報記録再生装置に関し、特に、再生映像の場面の中で見せたくない箇所を部分的に目隠しできる機能を有する情報記録再生装置に関する。
【背景技術】
【０００２】
近年、テレビ番組などの映像音声情報などを光ディスクであるＤＶＤ（デジタル・バーサタイル・ディスク）に記録したり、ＤＶＤに記録された映像音声情報などを再生したりするＤＶＤレコーダや、同じくテレビ番組などの映像音声情報などをハードディスクに記録したり、ハードディスクに記録された映像音声情報などを再生したりするハードディスクレコーダなどの情報記録再生装置が普及している。
【０００３】
ところで、市販されている光ディスクには、映画などの映像音声情報が記録されたＤＶＤがあり、このようなＤＶＤには、例えば、子供が視聴するには相応しくない内容が記録されている場合がある。このため、ＤＶＤレコーダでは、パレンタルロック機能を用いて視聴制限を行っている。即ち、ＤＶＤに記録されたタイトルには、例えば、１段階から８段階の視聴制限レベルのうち、内容に対応する視聴制限レベルが記録されている。この視聴制限レベルは、段階の数値が大きくなるほど、視聴制限の程度が強くなっていて、装置に設定された視聴制限レベルより、レベルが小さいタイトルのみが再生可能になっている。このため、装置を低年齢向けに視聴制限レベルを設定するときには、装置に設定する視聴制限レベルの段階を小さい値とし、高年齢向けに設定するときには、装置に設定する視聴制限レベルの段階を大きい値とするようになっている。また、視聴制限レベルを０〜８の９段階に拡張したＤＶＤレコーダも提案されており、視聴制限レベルの段階が０に設定された場合には、全てのＤＶＤの再生を禁止するようになっている。なお、ここでは、ＤＶＤレコーダにおける視聴制限レベルについて説明したが、再生のみ可能なＤＶＤプレイヤにおける視聴制限レベルについても、同様な動作が行われる。
【特許文献１】特開２００４−２５９３３５号公報
【特許文献２】特開２００４−３２６１２号公報
【発明の開示】
【発明が解決しようとする課題】
【０００４】
しかしながら、ＤＶＤに記録された映像音声情報は、その大部分が視聴を制限する必要のない内容となっており、一部においてのみ視聴を制限する必要のある映像となっているに過ぎない場合でも、視聴制限を行った場合、全ての映像の再生が禁止されてしまう。このため、ユーザにとっては、パレンタルロック機能による視聴制限が使い勝手の悪いものに感じられることがあった。
【０００５】
そこで、特許文献１の従来技術では、一部においてのみ視聴を制限する必要のある映像となっているに過ぎない場合でも、視聴制限を行った場合、全ての映像の再生が禁止されてしまうことに対処するため、視聴制限を行いたい場面（シーン）を再生禁止範囲とし、この再生禁止範囲を禁止開始位置と禁止終了位置とにより示し、この再生禁止範囲を、ＤＶＤを識別するディスク識別情報に対応付けて禁止情報記憶手段に記憶させ、再生対象となるＤＶＤが禁止情報記憶手段に記憶されたディスク識別情報に対応するＤＶＤであるときには、前記再生禁止範囲の映像表示を禁止するようにしている。これにより、視聴制限を行いたい場面は再生されないことになる。
【０００６】
また、特許文献２の従来技術では、データの再生単位であるセルを少なくとも１つ含んだ視聴制限ブロックを設定し、この視聴制限ブロックにより、再生映像のうちの一部の再生映像においてのみ視聴を制限することができるようにしている。
【０００７】
しかし、これらの従来技術は、視聴制限したい場面を含む再生映像が現れた場合、この再生映像の全体を視聴制限するが、この視聴制限したい場面の全てを隠す必要が無い場合もあり、このような場合に部分的に目隠しできれば良いが、このような部分的な目隠しする処理を行うことができないと言う課題があった。
【０００８】
本発明は、上記のような課題を解決するためになされたもので、再生映像の場面の一部を目隠しさせることができる情報記録再生装置を提供することを目的とする。
【課題を解決するための手段】
【０００９】
上記目的を達成するために、請求項１の発明は、映像を部分的に目隠ししたいタイトルが光ディスクから再生されているときに、ユーザが目隠しの操作を実施するための目隠し開始指示を検知すると、再生を一時停止させると共に、この時点の再生経過時間を目隠し開始時間として目隠し位置テーブルに設定する目隠し開始時間設定手段と、前記目隠し開始時間が設定された後、モニタ装置のディスプレイ装置の画面上に目隠しの位置と目隠しの面積を決定するためのカーソルを表示させるカーソル表示手段と、前記カーソルにより決定された目隠しの位置と目隠しの面積を目隠し位置テーブルに設定する目隠しの位置・面積設定手段と、
前記目隠しの位置と目隠しの面積が設定された後、再生指示を検知すると、再生を再び開始させる第１の再生開始手段と、前記再生指示により光ディスクの情報が再び再生されているときに、目隠し終了指示を検知すると、再生を一時停止させると共に、この時点の再生経過時間を目隠し終了時間として目隠し位置テーブルに設定する目隠し終了時間設定手段と、前記目隠し終了時間が設定された後、再生指示を検知すると、再生を再び開始させる第２の再生開始手段と、当該タイトルの再生が終了したときに、パスワード設定画面をディスプレイ装置に表示させるパスワード設定画面表示手段と、前記パスワード設定画面にて設定されたパスワードをメモリに格納するパスワード格納手段と、当該タイトルは目隠し設定済みであることを示す目隠し設定済み情報を、ディスク識別情報とタイトル番号に対応させてメモリに格納する目隠し設定済み情報格納手段とを有する目隠し設定処理部と、光ディスクからタイトルの再生が開始したときに、当該タイトルが目隠し設定済みタイトルであるか否かを前記目隠し設定済み情報に基づいて判定する目隠し設定済みタイトル判定手段と、当該タイトルが目隠し設定済みタイトルであると判定されたときに、再生を一時停止させ、パスワード入力画面をディスプレイ装置に表示させるパスワード入力画面表示手段と、前記パスワード入力画面にて入力されたパスワードが前記メモリに格納されたパスワードと一致するか否かを判定するパスワード判定手段と、前記両パスワードが一致したと判定されたときに、前記目隠し位置テーブルを参照せずに通常再生を行う通常再生制御手段と、前記両パスワードが不一致と判定されたとき、または前記パスワード入力画面へのパスワードの入力が所定時間経過しても無かったときに、目隠し再生を開始させる目隠し再生制御手段と、前記目隠し再生が行われているとき、前記目隠し位置テーブルを参照して再生経過時間が目隠し開始時間になったことを検知すると、当該目隠し開始時間に対応する目隠しの位置と目隠しの面積に基づいて目的の箇所の目隠しを開始させる目隠し開始手段と、前記目隠し位置テーブルを参照して再生経過時間が目隠し終了時間になったことを検知すると、前記目的の箇所の目隠しを終了させる目隠し終了手段と、を有する目隠し制御部とを備えたことを特徴とする情報記録再生装置を提供する。
【００１０】
この構成において、光ディスクの当該タイトルを再生中に、ユーザが目隠しさせたい場面の映像が現れ、目隠し開始指示がされると、目隠し開始時間設定手段は、目隠し開始指示が指示されたことを検知し、再生を一時停止させると共に、この時点の再生経過時間を目隠し開始時間とし、この目隠し開始時間を目隠し位置テーブルに設定する。前記目隠し開始時間が設定された後、カーソル表示手段は、ディスプレイ装置の画面上に目隠しの位置と目隠しの面積を決定するためのカーソルを表示させる。
【００１１】
ここで、ユーザは、ディスプレイ装置の画面を見て、リモコンを操作してカーソルを動かし、目隠しの位置（カーソルの位置）と目隠しの面積（カーソルの面積）が決定されると、目隠しの位置・面積設定手段は、そのカーソルにより決定された目隠しの位置と目隠しの面積を目隠し位置テーブルに設定する。
【００１２】
次に、ユーザにより再生指示されると、第１の再生開始手段は、再生指示がされたことを検知し、再生を再び開始させる。そして、この再生中に、目隠ししたい部分が映像から無くなったとき、目隠し処理を行う必要がなくなるので、ユーザは、目隠し終了指示をすると、目隠し終了時間設定手段は、目隠し終了指示があったことを検知し、再生を一時停止させると共に、この時点の再生経過時間を目隠し終了時間として目隠し位置テーブルに設定する。この後、ユーザが、再生指示を行うと、第２の再生開始手段は、再生指示があったことを検知し、再生を再び開始させる。そして、当該タイトルの再生が終了したときに、パスワード設定画面表示手段は、ディスプレイ装置にパスワード設定画面を表示させる。
【００１３】
ここで、ユーザは、パスワード設定画面を見て、今後の再生時に目隠しを解除するためのパスワードをリモコンの数字キーなどを用いて入力し、決定すると、パスワード格納手段は、パスワード設定画面にて設定されたパスワードをメモリに格納する。更に、目隠し設定済み情報格納手段は、当該タイトルは目隠し設定済みであることを示す目隠し設定済み情報を、当該タイトルを記録している光ディスクのディスク識別情報と、当該タイトルのタイトル番号とに対応させてメモリに格納する。
【００１４】
また、この構成において、光ディスクからタイトルの再生が開始したときに、目隠し設定済みタイトル判定手段は、当該タイトルが目隠し設定済みタイトルであるか否かをメモリに格納された目隠し設定済み情報に基づいて判定する。そして、当該タイトルが目隠し設定済みタイトルであると判定されたときに、パスワード入力画面表示手段は、再生を一時停止させ、ディスプレイ装置の画面上にパスワード入力画面を表示させる。
【００１５】
ここで、ユーザは、ディスプレイ装置の画面上に表示されたパスワード入力画面を見て、リモコンの数字キーなどを操作して、自分のパスワードをパスワード入力画面に入力すると、パスワード判定手段は、パスワードが入力されたことを検知し、前記パスワード入力画面にて入力されたパスワードがメモリに格納されたパスワードと一致するか否かを判定する。前記両パスワードが一致したと判定されたときに、通常再生制御手段は、目隠し位置テーブルを参照せずに通常再生を行う。
【００１６】
一方、前記パスワード入力画面へのパスワードの入力が所定時間経過しても無かったと判定されたとき、または前記両パスワードが不一致と判定されたときには、目隠し再生制御手段は目隠し再生を開始させる。そして、目隠し再生が行われているときに、目隠し開始手段は、メモリに格納されている目隠し位置テーブルを参照して、再生経過時間が目隠し開始時間になったことを検知すると、当該目隠し開始時間に対応する目隠しの位置と目隠しの面積に基づいて目的の箇所の目隠しを開始させる。
【００１７】
このようにして、目的の箇所への目隠し処理が行われ、目隠し終了手段が、目隠し位置テーブルを参照して再生経過時間が目隠し終了時間になったことを検知すると、前記目的の箇所の目隠しを終了させる。このような処理を繰り返し、目隠し位置テーブルの該当内容の参照が全部完了し、この後、当該タイトルの再生が終了すると、本処理は終了する。
【００１８】
この構成によれば、光ディスクからの再生映像の場面の一部に子供や他の人に見せるには不適当な箇所があった場合、その箇所を目隠しさせることができるので、子供や他の人に不適当な箇所を見られることがなくなり、ユーザにとっては安心することができる。また、ユーザはパスワードを入力することによって、目隠しした箇所を見ることもでき、使い勝手が良いものとなる。また、再生映像の場面の一部の箇所を目隠しするだけなので、再生映像が途切れることがなく、ストーリーの内容の理解を妨げるようなことはない。
【００１９】
請求項２の発明は、映像を部分的に目隠ししたいタイトルがハードディスクから再生されているときに、ユーザが目隠しの操作を実施するための目隠し開始指示を検知すると、再生を一時停止させると共に、この時点の再生経過時間を目隠し開始時間として目隠し位置テーブルに設定する目隠し開始時間設定手段と、前記目隠し開始時間が設定された後、モニタ装置のディスプレイ装置の画面上に目隠しの位置と目隠しの面積を決定するためのカーソルを表示させるカーソル表示手段と、前記カーソルにより決定された目隠しの位置と目隠しの面積を目隠し位置テーブルに設定する目隠しの位置・面積設定手段と、前記目隠しの位置と目隠しの面積が設定された後、再生指示を検知すると、再生を再び開始させる第１の再生開始手段と、前記再生指示によりハードディスクの情報が再び再生されているときに、目隠し終了指示を検知すると、再生を一時停止させると共に、この時点の再生経過時間を目隠し終了時間として目隠し位置テーブルに設定する目隠し終了時間設定手段と、前記目隠し終了時間が設定された後、再生指示を検知すると、再生を再び開始させる第２の再生開始手段と、を有する目隠し設定処理部と、ハードディスクからハードディスクへのダビング開始時、またはハードディスクから光ディスクへのダビング開始時に、ハードディスクからタイトルの再生が開始したときに、当該タイトルが目隠し設定済みタイトルであるか否かを前記目隠し設定済み情報に基づいて判定する目隠し設定済みタイトル判定手段と、当該タイトルが目隠し設定済みタイトルであると判定され、目隠し再生が行われているとき、前記目隠し位置テーブルを参照して再生経過時間が目隠し開始時間になったことを検知すると、当該目隠し開始時間に対応する目隠しの位置と目隠しの面積に基づいて当該タイトルの元のデータへの上書きによって目的の箇所の目隠しを開始させる目隠し開始手段と、前記目隠し位置テーブルを参照して再生経過時間が目隠し終了時間になったことを検知すると、前記目的の箇所の目隠しを終了させる目隠し終了手段と、を有する目隠し制御部と、を備えたことを特徴とする情報記録再生装置を提供する。
【００２０】
この構成において、ハードディスクから当該タイトルを再生中に、ユーザが目隠しさせたい場面の映像が現れて、リモコンにより目隠し開始指示がされると、目隠し開始時間設定手段は、目隠し開始指示がされたことを検知し、再生を一時停止させると共に、この時点の再生経過時間を目隠し開始時間とし、この目隠し開始時間を目隠し位置テーブルに設定する。前記目隠し開始時間が設定された後、カーソル表示手段は、モニタ装置のディスプレイ装置の画面上に目隠しの位置と目隠しの面積を決定するためのカーソルを表示させる。
【００２１】
ここで、ユーザは、ディスプレイ装置の画面を見て、リモコンを操作してカーソルを動かし、目隠しの位置（カーソルの位置）と目隠しの面積（カーソルの面積）が決定されると、目隠しの位置・面積設定手段は、そのカーソルにより決定された目隠しの位置と目隠しの面積を目隠し位置テーブルに設定する。このようにして、ユーザによるリモコン操作によって、目隠しの位置（カーソルの位置）と目隠しの面積（カーソルの面積）が決定されると、目隠しの位置・面積設定手段は、そのカーソルにより決定された目隠しの位置と目隠しの面積を目隠し位置テーブルに設定する。
【００２２】
次に、ユーザが、再びリモコンを操作して再生指示を行うと、第１の再生開始手段は、再生指示がされたことを検知し、再生を再び開始させる。そして、この再生中に、目隠ししたい部分が映像から無くなったとき、目隠し処理を行う必要がなくなるので、ユーザは、再び、リモコンを操作して目隠し終了指示を行うと、目隠し終了時間設定手段は、目隠し終了指示があったことを検知し、再生を一時停止させると共に、この時点の再生経過時間を目隠し終了時間として目隠し位置テーブルに設定する。この後、ユーザが、再びリモコンを操作して再生指示を行うと、第２の再生開始手段は、再生指示があったことを検知し、再生を再び開始させる。そして、当該タイトルの再生が終了すると、本処理は終了する。
【００２３】
また、この構成において、ハードディスクからタイトルの再生が開始したときに、目隠し設定済みタイトル判定手段は、当該タイトルが目隠し設定済みタイトルであるか否かをメモリに格納された目隠し設定済み情報に基づいて判定する。そして、当該タイトルが目隠し設定済みタイトルであると判定され、目隠し再生が行われているときに、目隠し開始手段は、メモリに格納されている目隠し位置テーブルを参照して、再生経過時間が目隠し開始時間になったことを検知すると、当該目隠し開始時間に対応する目隠しの位置と目隠しの面積に基づいて、当該タイトルの元のデータへの上書きによって、目的の箇所の目隠しを開始させる。
【００２４】
このようにして、目的の箇所への目隠し処理が行われ、目隠し終了手段が、目隠し位置テーブルを参照して再生経過時間が目隠し終了時間になったことを検知すると、前記目的の箇所の目隠しを終了させる。このような処理を繰り返し、目隠し位置テーブルの該当内容の参照が全部完了し、この後、当該タイトルの再生が終了すると、本処理は終了する。
【００２５】
また、ハードディスクからハードディスクへのダビング、あるいはハードディスクから光ディスクへのダビング指示がユーザのリモコン操作によって与えられた場合、ハードディスクに対する再生が開始されると共に、ハードディスクあるいは光ディスクに対する記録が開始される。そして、記録が終了すると、目隠し処理された映像を有する当該タイトルがハードディスクあるいは光ディスクにダビングされることになる。
【００２６】
この構成によれば、ハードディスクからの再生映像の場面の一部に子供や他の人に見せるには不適当な箇所があった場合、その箇所を目隠しさせることができるので、子供や他の人に不適当な箇所を見られることがなくなり、ユーザにとっては安心することができる。また、一度目隠しした箇所は、当該タイトルの元のデータへ上書きするので、元の映像に戻すことができなくなり、これにより、子供や他の人に絶対見せたくない箇所を確実に見ることができなくなり、ユーザにとっては安心することができる。また、再生映像の場面の一部の箇所を目隠しするだけなので、再生映像が途切れることがなく、ストーリーの内容の理解を妨げるようなことはない。
【００２７】
請求項３の発明は、映像を部分的に目隠ししたいタイトルが光ディスクから再生されているときに、ユーザが目隠しの操作を実施するための目隠し開始指示を検知することによる目隠し開始時間と、カーソルにより決定された目隠しの位置と目隠しの面積と、目隠し終了指示を検知することによる目隠し終了時間とを目隠し位置テーブルに設定し、更に、当該タイトルの再生が終了したときに、目隠しを解除するためのパスワードと、当該タイトルが目隠し設定済みであることを示す目隠し設定済み情報とをメモリに格納する目隠し設定処理部と、光ディスクからタイトルの再生が開始し、当該タイトルが目隠し設定済みタイトルであると判定して、更に、入力されたパスワードと前記メモリに格納されたパスワードと一致すると判定したとき、前記目隠し位置テーブルを参照せずに通常再生を行い、前記両パスワードが不一致と判定されたとき、または前記パスワードの入力が所定時間経過しても無かったときに、目隠し再生を開始させ、前記目隠し位置テーブルを参照して再生経過時間が目隠し開始時間になったことを検知すると、当該目隠し開始時間に対応する目隠しの位置と目隠しの面積に基づいて目的の箇所の目隠しを開始させ、前記目隠し位置テーブルを参照して再生経過時間が目隠し終了時間になったことを検知すると、前記目的の箇所の目隠しを終了させる目隠し制御部とを備えたことを特徴とする情報記録再生装置を提供する。
【００２８】
この構成において、映像を部分的に目隠ししたいタイトルが光ディスクから再生されているときに、目隠し開始指示を検知することによる目隠し開始時間と、カーソルにより決定された目隠しの位置と目隠しの面積と、目隠し終了指示を検知することによる目隠し終了時間とが目隠し位置テーブルに設定される。そして、当該タイトルの再生が終了したときに、パスワードと目隠し設定済み情報とがメモリに格納される。
【００２９】
また、この構成において、光ディスクからタイトルの再生が開始し、当該タイトルが目隠し設定済みタイトルであると判定され、更に、入力されたパスワードと前記メモリに格納されたパスワードと一致すると判定されたときは、前記目隠し位置テーブルを参照せずに通常再生が行われる。前記両パスワードが不一致と判定されたとき、または前記パスワードの入力が所定時間経過しても無かったときには、目隠し再生が開始され、前記目隠し位置テーブルを参照して再生経過時間が目隠し開始時間になったことが検知されると、当該目隠し開始時間に対応する目隠しの位置と目隠しの面積に基づいて目的の箇所の目隠しが開始され、前記目隠し位置テーブルを参照して再生経過時間が目隠し終了時間になったことを検知されると、前記目的の箇所の目隠しが終了される。
【００３０】
この構成によれば、光ディスクからの再生映像の場面の一部に子供や他の人に見せるには不適当な箇所があった場合、その箇所を目隠しさせることができるので、子供や他の人に不適当な箇所を見られることがなくなり、ユーザにとっては安心することができる。また、ユーザはパスワードを入力することによって、目隠しした箇所を見ることもでき、使い勝手が良いものとなる。また、再生映像の場面の一部の箇所を目隠しするだけなので、再生映像が途切れることがなく、ストーリーの内容の理解を妨げるようなことはない。
【００３１】
請求項４の発明は、映像を部分的に目隠ししたいタイトルがハードディスクから再生されているときに、ユーザが目隠しの操作を実施するための目隠し開始指示を検知することによる目隠し開始時間と、カーソルにより決定された目隠しの位置と目隠しの面積と、目隠し終了指示を検知することによる目隠し終了時間とを目隠し位置テーブルに設定する目隠し設定処理部と、ハードディスクからハードディスクへのダビング開始時、またはハードディスクから光ディスクへのダビング開始時に、ハードディスクからタイトルの再生が開始したときに、当該タイトルが目隠し設定済みタイトルであると判定し、目隠し再生を行っているとき、前記目隠し位置テーブルを参照して再生経過時間が目隠し開始時間になったことを検知すると、当該目隠し開始時間に対応する目隠しの位置と目隠しの面積に基づいて当該タイトルの元のデータへの上書きによって目的の箇所の目隠しを開始させ、前記目隠し位置テーブルを参照して再生経過時間が目隠し終了時間になったことを検知すると、前記目的の箇所の目隠しを終了させる目隠し制御部とを備えたことを特徴とする情報記録再生装置を提供する。
【００３２】
この構成において、映像を部分的に目隠ししたいタイトルがハードディスクから再生されているときに、目隠し開始指示を検知することによる目隠し開始時間と、カーソルにより決定された目隠しの位置と目隠しの面積と、目隠し終了指示を検知することによる目隠し終了時間とが、目隠し位置テーブルに設定される。ハードディスクからハードディスクへのダビング開始時、またはハードディスクから光ディスクへのダビング開始時に、ハードディスクからタイトルの再生が開始したときに、当該タイトルが目隠し設定済みタイトルであると判定され、目隠し再生が行われているときに、前記目隠し位置テーブルを参照して再生経過時間が目隠し開始時間になったことが検知されると、当該目隠し開始時間に対応する目隠しの位置と目隠しの面積に基づいて当該タイトルの元のデータへの上書きによって目的の箇所の目隠しが開始される。前記目隠し位置テーブルを参照して再生経過時間が目隠し終了時間になったことを検知されると、前記目的の箇所の目隠しが終了される。
【００３３】
この構成によれば、ハードディスクからの再生映像の場面の一部に子供や他の人に見せるには不適当な箇所があった場合、その箇所を目隠しさせることができるので、子供や他の人に不適当な箇所を見られることがなくなり、ユーザにとっては安心することができる。また、一度目隠しした箇所は、当該タイトルの元のデータへ上書きするので、元の映像に戻すことができなくなり、これにより、子供や他の人に絶対見せたくない箇所を確実に見ることができなくなり、ユーザにとっては安心することができる。また、再生映像の場面の一部の箇所を目隠しするだけなので、再生映像が途切れることがなく、ストーリーの内容の理解を妨げるようなことはない。
【００３４】
請求項５の発明では、請求項３の発明において、前記目隠し設定処理部は、映像を部分的に目隠ししたいタイトルが光ディスクから再生されているときに、ユーザが目隠しの操作を実施するための目隠し開始指示を検知すると、再生を一時停止させると共に、この時点の再生経過時間を目隠し開始時間として目隠し位置テーブルに設定する目隠し開始時間設定手段と、前記目隠し開始時間が設定された後、モニタ装置のディスプレイ装置の画面上に目隠しの位置と目隠しの面積を決定するためのカーソルを表示させるカーソル表示手段と、前記カーソルにより決定された目隠しの位置と目隠しの面積を目隠し位置テーブルに設定する目隠しの位置・面積設定手段と、前記目隠しの位置と目隠しの面積が設定された後、再生指示を検知すると、再生を再び開始させる第１の再生開始手段と、前記再生指示により光ディスクの情報が再び再生されているときに、目隠し終了指示を検知すると、再生を一時停止させると共に、この時点の再生経過時間を目隠し終了時間として目隠し位置テーブルに設定する目隠し終了時間設定手段と、前記目隠し終了時間が設定された後、再生指示を検知すると、再生を再び開始させる第２の再生開始手段と、当該タイトルの再生が終了したときに、パスワード設定画面をディスプレイ装置に表示させるパスワード設定画面表示手段と、前記パスワード設定画面にて設定されたパスワードをメモリに格納するパスワード格納手段と、当該タイトルは目隠し設定済みであることを示す目隠し設定済み情報を、ディスク識別情報とタイトル番号に対応させてメモリに格納する目隠し設定済み情報格納手段とを有し、前記目隠し制御部は、光ディスクからタイトルの再生が開始したときに、当該タイトルが目隠し設定済みタイトルであるか否かを前記目隠し設定済み情報に基づいて判定する目隠し設定済みタイトル判定手段と、当該タイトルが目隠し設定済みタイトルであると判定されたときに、再生を一時停止させ、パスワード入力画面をディスプレイ装置に表示させるパスワード入力画面表示手段と、前記パスワード入力画面にて入力されたパスワードが前記メモリに格納されたパスワードと一致するか否かを判定するパスワード判定手段と、前記両パスワードが一致したと判定されたときに、前記目隠し位置テーブルを参照せずに通常再生を行う通常再生制御手段と、前記両パスワードが不一致と判定されたとき、または前記パスワード入力画面へのパスワードの入力が所定時間経過しても無かったときに、目隠し再生を開始させる目隠し再生制御手段と、前記目隠し再生が行われているとき、前記目隠し位置テーブルを参照して再生経過時間が目隠し開始時間になったことを検知すると、当該目隠し開始時間に対応する目隠しの位置と目隠しの面積に基づいて目的の箇所の目隠しを開始させる目隠し開始手段と、前記目隠し位置テーブルを参照して再生経過時間が目隠し終了時間になったことを検知すると、前記目的の箇所の目隠しを終了させる目隠し終了手段とを有することを特徴とする。
【００３５】
したがって、前記目隠し設定処理部は、目隠し開始時間設定処理、カーソル表示処理、目隠しの位置・面積設定処理、第１の再生開始処理、目隠し終了時間設定処理、第２の再生開始処理、パスワード設定画面表示処理、パスワード格納処理、および目隠し設定済み情報格納処理を実現でき、また、前記目隠し制御部は、目隠し設定済みタイトル判定処理、パスワード入力画面表示処理、パスワード判定処理、通常再生制御処理、目隠し再生制御、目隠し開始処理、および目隠し終了処理を実現でき、これらにより、光ディスクからの再生映像の場面の一部に子供や他の人に見せるには不適当な箇所があった場合、その箇所を目隠しさせることが可能になる。また、ユーザはパスワードを入力することによって、目隠しした箇所を見ることができるようになる。
【００３６】
請求項６の発明は、請求項４の発明において、前記目隠し設定処理部は、映像を部分的に目隠ししたいタイトルがハードディスクから再生されているときに、ユーザが目隠しの操作を実施するための目隠し開始指示を検知すると、再生を一時停止させると共に、この時点の再生経過時間を目隠し開始時間として目隠し位置テーブルに設定する目隠し開始時間設定手段と、前記目隠し開始時間が設定された後、モニタ装置のディスプレイ装置の画面上に目隠しの位置と目隠しの面積を決定するためのカーソルを表示させるカーソル表示手段と、前記カーソルにより決定された目隠しの位置と目隠しの面積を目隠し位置テーブルに設定する目隠しの位置・面積設定手段と、前記目隠しの位置と目隠しの面積が設定された後、再生指示を検知すると、再生を再び開始させる第１の再生開始手段と、前記再生指示によりハードディスクの情報が再び再生されているときに、目隠し終了指示を検知すると、再生を一時停止させると共に、この時点の再生経過時間を目隠し終了時間として目隠し位置テーブルに設定する目隠し終了時間設定手段と、前記目隠し終了時間が設定された後、再生指示を検知すると、再生を再び開始させる第２の再生開始手段とを有し、前記目隠し制御部は、ハードディスクからハードディスクへのダビング開始時、またはハードディスクから光ディスクへのダビング開始時に、ハードディスクからタイトルの再生が開始したときに、当該タイトルが目隠し設定済みタイトルであるか否かを前記目隠し設定済み情報に基づいて判定する目隠し設定済みタイトル判定手段と、当該タイトルが目隠し設定済みタイトルであると判定され、目隠し再生が行われているとき、前記目隠し位置テーブルを参照して再生経過時間が目隠し開始時間になったことを検知すると、当該目隠し開始時間に対応する目隠しの位置と目隠しの面積に基づいて当該タイトルの元のデータへの上書きによって目的の箇所の目隠しを開始させる目隠し開始手段と、前記目隠し位置テーブルを参照して再生経過時間が目隠し終了時間になったことを検知すると、前記目的の箇所の目隠しを終了させる目隠し終了手段とを有することを特徴とする。
【００３７】
したがって、前記目隠し設定処理部は、目隠し開始時間設定処理、カーソル表示処理、目隠しの位置・面積設定処理、第１の再生開始処理、目隠し終了時間設定処理、および第２の再生開始処理を実現でき、また、前記目隠し制御部は、目隠し設定済みタイトル判定処理、目隠し開始処理、および目隠し終了処理を実現でき、これらにより、ハードディスクからの再生映像の場面の一部に子供や他の人に見せるには不適当な箇所があった場合、その箇所を目隠しさせることが可能になる。また、一度目隠しした箇所は、当該タイトルの元のデータへ上書きするので、元の映像に戻すことができなくなる。
【発明の効果】
【００３８】
以上のように第１の発明によれば、光ディスクからの再生映像の場面の一部に子供や他の人に見せるには不適当な箇所があった場合、その箇所を目隠しさせることができるので、子供や他の人に不適当な箇所を見られることがなくなり、ユーザにとっては安心することができる。また、ユーザはパスワードを入力することによって、目隠しした箇所を見ることもでき、使い勝手が良いものとなる。また、再生映像の場面の一部の箇所を目隠しするだけなので、再生映像が途切れることがなく、ストーリーの内容の理解を妨げるようなことはない。
【００３９】
また、第２の発明によれば、ハードディスクからの再生映像の場面の一部に子供や他の人に見せるには不適当な箇所があった場合、その箇所を目隠しさせることができるので、子供や他の人に不適当な箇所を見られることがなくなり、ユーザにとっては安心することができる。また、一度目隠しした箇所は、当該タイトルの元のデータへ上書きするので、元の映像に戻すことができなくなり、これにより、子供や他の人に絶対見せたくない箇所を確実に見ることができなくなり、ユーザにとっては安心することができる。また、再生映像の場面の一部の箇所を目隠しするだけなので、再生映像が途切れることがなく、ストーリーの内容の理解を妨げるようなことはない。
【発明を実施するための最良の形態】
【００４０】
以下、添付図面を参照しつつ、本発明の実施の形態について説明する。図１は本発明の第１，第２の実施形態に係る情報記録再生装置として光ディスク装置とハードディスク装置とが組み込まれた複合型記録再生装置の構成を示すブロック図である。ここでは、情報記録再生装置として光ディスク装置とハードディスク装置とが組み込まれた複合型記録再生装置について説明するが、第１の実施形態の特徴とする目隠し設定処理および目隠し制御は、光ディスク装置に適用でき、第２の実施形態の特徴とする目隠し設定処理および目隠し制御は、ハードディスク装置に適用できる。なお、情報記録再生装置における再生に関する処理は、再生のみ可能なＤＶＤプレイヤにも含まれるので、第１の実施形態の特徴とする目隠し設定処理および目隠し制御は、ＤＶＤプレイヤにも採用できることは言うまでもない。
【００４１】
図１において、複合型記録再生装置１は、光ディスクとしてのＤＶＤ１５などに対して情報の記録／再生を行うＤＶＤレコーダである光ディスク装置２と、ＨＤ（ハードディスク）１４に対して情報の記録／再生を行うＨＤＤ（ハードディスクドライブ）であるハードディスク装置３と、図示しないアンテナからのテレビ放送信号を受信し、所望のチャンネルのテレビ放送信号を選択して映像音声信号として出力するチューナ４と、光ディスク装置２またはハードディスク装置３またはチューナ４から出力された映像音声信号を復号するデコーダ５と、チューナ４が受信可能な放送チャンネルを記憶すると共に、システムコントローラ１０の動作に必要なプログラム、目隠し位置テーブル、パスワード、目隠し設定済み情報などを記憶するフラッシュメモリ６とを備えている。
【００４２】
また、この複合型記録再生装置１は、デコーダ５で復号された映像信号をモニタ装置（テレビ受信機など）１３のディスプレイ装置１３１で表示可能な映像信号に変換する映像出力部７と、タイトルリスト画面などをモニタ装置１３のディスプレイ装置１３１に表示させるためのＯＳＤ回路１２と、デコーダ５で復号された音声信号をモニタ装置１３のスピーカ１３２で出力可能な音声信号に変換する音声出力部８と、リモコン１１から送信された赤外光の各種の指令信号を受信し、受信した赤外光の指令信号を電気信号の指令信号に変換し、この指令信号をシステムコントローラ１０に入力するリモコン受信部９と、装置全体を制御する前記システムコントローラ１０とを備えている。
【００４３】
第１の実施形態におけるシステムコントローラ１０は、映像を部分的に目隠ししたいタイトルがＤＶＤ１５から再生されているときに、ユーザが目隠しの操作を実施するための目隠し開始指示（リモコン１１の目隠し用キー１１２の押下）を検知すると、再生を一時停止させると共に、この時点の再生経過時間を目隠し開始時間として目隠し位置テーブル２０（図２参照）に設定する目隠し開始時間設定手段と、前記目隠し開始時間が設定された後、モニタ装置１３のディスプレイ装置１３１の画面３０（図３参照）上に目隠しの位置と目隠しの面積を決定するためのカーソルＨを表示させるカーソル表示手段と、カーソルＨにより決定された目隠しの位置と目隠しの面積を目隠し位置テーブル２０に設定する目隠しの位置・面積設定手段と、前記目隠しの位置と目隠しの面積が設定された後、再生指示を検知すると、再生を再び開始させる第１の再生開始手段と、前記再生指示によりＤＶＤ１５の情報が再び再生されているときに、目隠し終了指示を検知すると、再生を一時停止させると共に、この時点の再生経過時間を目隠し終了時間として目隠し位置テーブル２０に設定する目隠し終了時間設定手段と、前記目隠し終了時間が設定された後、再生指示を検知すると、再生を再び開始させる第２の再生開始手段と、当該タイトルの再生が終了したときに、パスワード設定画面をディスプレイ装置１３１に表示させるパスワード設定画面表示手段と、前記パスワード設定画面にて設定されたパスワードをフラッシュメモリ６に格納するパスワード格納手段と、当該タイトルは目隠し設定済みであることを示す目隠し設定済み情報を、ディスク識別情報とタイトル番号に対応させてフラッシュメモリ６に格納する目隠し設定済み情報格納手段とを有する目隠し設定処理部１０１を備えている。
【００４４】
また、第１の実施形態におけるシステムコントローラ１０は、ＤＶＤ１５からタイトルの再生が開始したときに、当該タイトルが目隠し設定済みタイトルであるか否かを前記目隠し設定済み情報に基づいて判定する目隠し設定済みタイトル判定手段と、当該タイトルが目隠し設定済みタイトルであると判定されたときに、再生を一時停止させ、パスワード入力画面をディスプレイ装置１３１に表示させるパスワード入力画面表示手段と、前記パスワード入力画面にて入力されたパスワードがフラッシュメモリ６に格納されたパスワードと一致するか否かを判定するパスワード判定手段と、前記両パスワードが一致したと判定されたときに、目隠し位置テーブル２０を参照せずに通常再生を行う通常再生制御手段と、前記両パスワードが不一致と判定されたとき、または前記パスワード入力画面へのパスワードの入力が所定時間経過しても無かったときに、目隠し再生を開始させる目隠し再生制御手段と、前記目隠し再生が行われているとき、目隠し位置テーブル２０を参照して再生経過時間が目隠し開始時間になったことを検知すると、当該目隠し開始時間に対応する目隠しの位置と目隠しの面積に基づいて目的の箇所の目隠しを開始させる目隠し開始手段と、目隠し位置テーブル２０を参照して再生経過時間が目隠し終了時間になったことを検知すると、前記目的の箇所の目隠しを終了させる目隠し終了手段とを有する目隠し制御部とを備えている。
【００４５】
また、第２の実施形態におけるシステムコントローラ１０は、映像を部分的に目隠ししたいタイトルがＨＤ１４から再生されているときに、ユーザが目隠しの操作を実施するための目隠し開始指示を検知すると、再生を一時停止させると共に、この時点の再生経過時間を目隠し開始時間として目隠し位置テーブル２０（図２参照）に設定する目隠し開始時間設定手段と、前記目隠し開始時間が設定された後、モニタ装置１３のディスプレイ装置１３１の画面上に目隠しの位置と目隠しの面積を決定するためのカーソルを表示させるカーソル表示手段と、前記カーソルにより決定された目隠しの位置と目隠しの面積を目隠し位置テーブル２０に設定する目隠しの位置・面積設定手段と、前記目隠しの位置と目隠しの面積が設定された後、再生指示を検知すると、再生を再び開始させる第１の再生開始手段と、前記再生指示によりＨＤ１４の情報が再び再生されているときに、目隠し終了指示を検知すると、再生を一時停止させると共に、この時点の再生経過時間を目隠し終了時間として目隠し位置テーブル２０に設定する目隠し終了時間設定手段と、前記目隠し終了時間が設定された後、再生指示を検知すると、再生を再び開始させる第２の再生開始手段とを有する目隠し設定処理部１０１を備えている。
【００４６】
また、第２の実施形態におけるシステムコントローラ１０は、ＨＤ１４からＨＤ１４へのダビング開始時、またはＨＤ１４からＤＶＤ１５へのダビング開始時に、ＨＤ１４からタイトルの再生が開始したときに、当該タイトルが目隠し設定済みタイトルであるか否かを前記目隠し設定済み情報に基づいて判定する目隠し設定済みタイトル判定手段と、当該タイトルが目隠し設定済みタイトルであると判定され、目隠し再生が行われているとき、目隠し位置テーブル２０を参照して再生経過時間が目隠し開始時間になったことを検知すると、当該目隠し開始時間に対応する目隠しの位置と目隠しの面積に基づいて当該タイトルの元のデータへの上書きによって目的の箇所の目隠しを開始させる目隠し開始手段と、目隠し位置テーブル２０を参照して再生経過時間が目隠し終了時間になったことを検知すると、前記目的の箇所の目隠しを終了させる目隠し終了手段とを有する目隠し制御部１０２を備えている。
【００４７】
図２は第１，第２の実施形態において用いられる目隠し位置テーブルの内容の一例を示す図である。この目隠し位置テーブル２０において、目隠し開始時間は、ＤＶＤ１５に対する再生が開始してから目隠ししたい場面が現れたときにリモコン１１の目隠し用キー１１２が押下され、一時停止したときの再生経過時間に相当する時間であり、目隠しの処理を開始させる時間である。なお、ユーザが目隠ししたい場面が現れてから目隠し用キー１１２を押下した場合、目隠し処理の開始時点が例えば１秒か２秒位遅れるとすると、目隠し再生時に、瞬間的に目隠ししたはずの映像が現れることになるので、これを防ぐため、目隠し位置テーブル２０に設定する目隠し開始時間を、目隠し用キー１１２を押下した時点よりも、例えば、１秒か２秒位前の時間に設定しておけば問題がない。
【００４８】
Ｘ座標は、ディスプレイ装置１３１の画面３０（図３参照）上で、目隠しの位置の中心のＸ座標の値を示し、Ｙ座標は、ディスプレイ装置１３１の画面３０上で、目隠しの位置の中心のＹ座標の値を示す。面積は、Ｘ座標の値とＹ座標の値を中心とする目隠しの領域の大きさを示す。目隠し終了時間は、ディスプレイ装置１３１の画面３０上で、目隠しの位置（Ｘ座標、Ｙ座標）と目隠しの面積が目隠し位置テーブル２０に設定された後、目隠し用キー１１２が押下されて、再生が再び開始して、目隠ししたい場面が無くなったときに、再び目隠し用キー１１２が押下され、一時停止したときの再生経過時間を示す。なお、ここでは、目隠し用キー１１２の操作だけで目隠し設定処理を行っているが、一時停止キーや再生キーなどを組み合わせて、再生を一時停止させたり、再生を再開させたりして、目隠し設定処理を行っても良いが、目隠し用キー１１２の操作だけで目隠し設定処理を行う方がユーザにとっては使い勝手が良い。
【００４９】
図３は第１，第２の実施形態において目隠しの位置と目隠しの面積を設定する様子を示したディスプレイ装置の画面図である。図３のディスプレイ装置の画面３０において、カーソルＨは、目隠ししたい場面に対応する位置を示し、カーソルＨで囲まれた部分は、例えば、Ｘ座標が１３３かつＹ座標が６７を中心として面積が１８×１６を示す領域を示す。このカーソルＨで示す目隠ししたい場面が、目隠し開始時間が１２分２０秒であり、目隠し終了時間が１２分３０秒であれば、このときの目隠し開始時間、目隠し終了時間、Ｘ座標、Ｙ座標、および面積が目隠し位置テーブル２０（図２参照）に設定されることになる。
【００５０】
カーソルＨで囲まれた領域（斜線部分）に対応する箇所の映像信号は、図１に示す映像出力部７に対してブランキング処理して、黒信号を重畳すれば、ディスプレイ装置１３に表示される再生映像がカーソルＨで囲まれた領域（斜線部分）に対応する箇所が黒くなり、その箇所の映像が目隠しされ、見ることができなくなる。なお、目隠しする箇所は黒に限ることはなく、他の色信号を映像信号に重畳すれば、その他の色で目隠しすることができる。
【００５１】
図４は第１の実施形態における目隠し設定処理を説明するためのフローチャートである。このフローチャートおよび図１〜図３を参照して第１の実施形態における目隠し設定処理について説明する。この目隠し設定処理は、システムコントローラ１０の目隠し設定処理部１０１によって行われる。
【００５２】
映像を部分的に目隠ししたいタイトルが記録されたＤＶＤ１５が装填され、ＤＶＤ１５からディスク情報を読み出すマウント処理が完了後、モニタ装置１３のディスプレイ装置１３１に表示された再生リストから、ユーザが、映像を部分的に目隠ししたいタイトルをリモコン１１の操作により選択して決定すると、システムコントローラ１０は、当該タイトルに対する再生が指示されたことを検知し（ステップＳ１）、光ディスク装置２を再生動作させ、ＤＶＤ１５から当該タイトルの再生を開始させる（ステップＳ２）。
【００５３】
そして、当該タイトルの再生中に、ユーザが目隠しさせたい場面の映像が現れ、リモコン１１の目隠し用キー１１２を押下すると、システムコントローラ１０の目隠し設定処理部１０１の目隠し開始時間設定手段は、ユーザが目隠しの操作を実施するための目隠し開始指示がされたことを検知し（ステップＳ４）、再生を一時停止させる（ステップＳ５）と共に、図示しない計時手段により計時されている現時点の再生経過時間を目隠し開始時間とし、この目隠し開始時間を目隠し位置テーブル２０に設定する（ステップＳ６）。
【００５４】
前記目隠し開始時間が設定された後、システムコントローラ１０の目隠し設定処理部１０１のカーソル表示手段は、フラッシュメモリ６に予め記憶されているカーソル表示用データを読み出し、このカーソル表示用データをＯＳＤ回路１２でＯＳＤ処理し、更に、モニタ装置１３のディスプレイ装置１３１で表示可能な映像信号に変換してモニタ装置１３に出力し、ディスプレイ装置１３１の画面３０上に目隠しの位置と目隠しの面積を決定するためのカーソルＨを表示させる（ステップＳ７）。
【００５５】
ここで、ユーザは、ディスプレイ装置１３１の画面３０を見て、リモコン１１を操作してカーソルＨを動かし、画面３０に表示されている映像の中で、目隠ししたい部分の中心にカーソルＨの中心Ｇを合わせ、更に、その目隠ししたい部分が全部隠れるように、カーソルＨの面積を調整する。このカーソルＨの操作は、最初、画面３０の中心にカーソルＨを表示させ、リモコン１１の上方向キー、下方向キー、左方向キー、右方向キーを動かすことによって、カーソルＨが、上下左右に移動できるようにし、カーソルＨの中心Ｇが決まったら、決定キーを押下することによって、カーソルＨの位置が決定されるようにする。
【００５６】
その後、カーソルＨの面積を決めるため、リモコン１１の上方向キーを押下すると、カーソルＨの上下のラインの間隔が広くなり、下方向キーを押下すると、カーソルＨの上下のラインの間隔が狭くなるようにし、リモコン１１の右方向キーを押下すると、カーソルＨの左右のラインの間隔が広くなり、左方向キーを押下すると、カーソルＨの左右のラインの間隔が狭くなるようにする。このようなカーソルＨの操作が可能なように、システムコントローラ１０目隠し設定処理部１０１のカーソル表示手段には、カーソルＨの位置設定および面積設定を行うカーソル設定手段が含まれている。なお、カーソルＨの位置設定および面積設定を行うためのリモコン１１のキー操作手順は、上記のようなキー操作手順に限ることはない。
【００５７】
このようにして、ユーザによるリモコン操作によって、目隠しの位置（カーソルＨの位置）と目隠しの面積（カーソルＨの面積）が決定されると（ステップＳ８）、システムコントローラ１０の目隠し設定処理部１０１の目隠しの位置・面積設定手段は、そのカーソルＨにより決定された目隠しの位置と目隠しの面積を目隠し位置テーブル２０に設定する（ステップＳ９）。
【００５８】
ここで、ユーザが、再びリモコン１１の目隠し用キー１１２を押下すると、システムコントローラ１０の目隠し設定処理部１０１の第１の再生開始手段は、再生指示がされたことを検知し（ステップＳ１０）、再生を再び開始させる（ステップＳ１１）。そして、この再生中に、目隠ししたい部分が映像から無くなったとき、目隠し処理を行う必要がなくなるので、ユーザは、再び、リモコン１１の目隠し用キー１１２を押下すると、システムコントローラ１０の目隠し設定処理部１０１の目隠し終了時間設定手段は、目隠し終了指示があったことを検知し（ステップＳ１２）、再生を一時停止させる（ステップＳ１３）と共に、この時点の再生経過時間を目隠し終了時間として目隠し位置テーブル２０に設定する（ステップＳ１４）。
【００５９】
この後、ユーザが、再びリモコン１１の目隠し用キー１１２を押下すると、システムコントローラ１０の目隠し設定処理部１０１の第２の再生開始手段は、再生指示があったことを検知し（ステップＳ１５）、再生を再び開始させる（ステップＳ２）。そして、当該タイトルの再生が終了したときに（ステップＳ３）、システムコントローラ１０の目隠し設定処理部１０１のパスワード設定画面表示手段は、フラッシュメモリ６に予め記憶されているパスワード設定画面用データを読み出し、このパスワード設定画面用データをＯＳＤ回路１２でＯＳＤ処理し、更に、モニタ装置１３のディスプレイ装置１３１で表示可能な映像信号に変換してモニタ装置１３に出力し、ディスプレイ装置１３１の画面上にパスワード設定画面を表示させる（ステップＳ１６）。
【００６０】
ここで、ユーザは、パスワード設定画面を見て、今後の再生時に目隠しを解除するためのパスワードをリモコン１０の数字キーなどを用いて入力し、決定すると、システムコントローラ１０の目隠し設定処理部１０１のパスワード格納手段は、パスワード設定画面にて設定されたパスワードをフラッシュメモリ６に格納する（ステップＳ１７）。更に、システムコントローラ１０の目隠し設定処理部１０１の目隠し設定済み情報格納手段は、当該タイトルは目隠し設定済みであることを示す目隠し設定済み情報を、当該タイトルを記録しているＤＶＤ１５のディスク識別情報と、当該タイトルのタイトル番号とに対応させてフラッシュメモリ６に格納する（ステップＳ１８）。
【００６１】
図５は第１の実施形態における目隠し制御に関する処理を説明するためのフローチャートである。このフローチャートおよび図１〜図３を参照して第１の実施形態における目隠し制御に関する処理について説明する。
【００６２】
ＤＶＤ１５が装填され、ＤＶＤ１５からディスク情報を読み出すマウント処理が完了後、モニタ装置１３のディスプレイ装置１３１に表示された再生リストから、ユーザが、映像を部分的に目隠ししたいタイトルをリモコン１１の操作により選択して決定すると、システムコントローラ１０は、当該タイトルに対する再生が指示されたことを検知し（ステップＮ１）、光ディスク装置２を再生動作させ、ＤＶＤ１５から当該タイトルの再生を開始させる（ステップＮ２）。
【００６３】
ＤＶＤ１５からタイトルの再生が開始したときに、システムコントローラ１０の目隠し制御部１０２の目隠し設定済みタイトル判定手段は、当該タイトルが目隠し設定済みタイトルであるか否かをフラッシュメモリ６に格納された目隠し設定済み情報に基づいて判定する（ステップＮ３）。即ち、目隠し制御部１０２の目隠し設定済みタイトル判定手段は、ＤＶＤ１５から読み出したディスク識別情報とフラッシュメモリ６に格納されているディスク識別情報と比較して一致し、更に、当該タイトルのタイトル番号がフラッシュメモリ６に格納されているタイトル番号に一致した場合に、当該タイトルが目隠し設定済みタイトルであると判定する。
【００６４】
そして、当該タイトルが目隠し設定済みタイトルであると判定されたときに、システムコントローラ１０の目隠し制御部１０２のパスワード入力画面表示手段は、再生を一時停止させ（ステップＮ４）、フラッシュメモリ６に予め記憶されているパスワード入力画面用データを読み出し、このパスワード入力画面用データをＯＳＤ回路１２でＯＳＤ処理し、更に、モニタ装置１３のディスプレイ装置１３１で表示可能な映像信号に変換してモニタ装置１３に出力し、ディスプレイ装置１３１の画面上にパスワード入力画面を表示させる（ステップＮ５）。なお、ステップＮ３において、目隠し設定済みタイトルでないと判定されたときは、当該タイトルの再生が終了するまで（ステップＮ１１）、通常の再生が行われる（ステップＮ１０）。
【００６５】
ここで、ユーザは、ディスプレイ装置１３１の画面上に表示されたパスワード入力画面を見て、リモコン１１の数字キーなどを操作して、自分のパスワードをパスワード入力画面に入力すると、システムコントローラ１０の目隠し制御部１０２のパスワード判定手段は、パスワードが入力されたことを検知し（ステップＮ５）、前記パスワード入力画面にて入力されたパスワードがフラッシュメモリ６に格納されたパスワードと一致するか否かを判定する（ステップＮ７）。前記両パスワードが一致したと判定されたときに、システムコントローラ１０の目隠し制御部１０２の通常再生制御手段は、目隠し位置テーブル２０を参照せずに通常再生を行う（ステップＮ８）。そして、当該タイトルの再生が終了すると（ステップＮ９）、本処理は終了する。
【００６６】
一方、前記パスワード入力画面へのパスワードの入力が所定時間経過しても無かったと判定されたとき（ステップＮ６）、または前記両パスワードが不一致と判定されたときに（ステップＮ７）、システムコントローラ１０の目隠し制御部１０２の目隠し再生制御手段は、光ディスク装置２を駆動させ、目隠し再生を開始させる（ステップＮ１２）。そして、目隠し再生が行われているときに、システムコントローラ１０の目隠し制御部１０２の目隠し開始手段は、フラッシュメモリ６に格納されている目隠し位置テーブル２０を参照して（ステップＮ１３）、再生経過時間が目隠し開始時間になったことを検知すると（ステップＮ１５）、当該目隠し開始時間に対応する目隠しの位置と目隠しの面積に基づいて目的の箇所の目隠しを開始させる（ステップＮ１６）。
【００６７】
このようにして、目的の箇所への目隠し処理が行われ、システムコントローラ１０の目隠し制御部１０２の目隠し終了手段が、目隠し位置テーブル２０を参照して再生経過時間が目隠し終了時間になったことを検知すると（ステップＮ１７）、前記目的の箇所の目隠しを終了させる（ステップＮ１８）。このようなステップＮ１４〜Ｎ１８の処理を繰り返し、目隠し位置テーブル２０の該当内容（当該タイトルの目隠し制御を行うための目隠し開始時間、目隠し終了時間、Ｘ座標、Ｙ座標、面積）の参照が全部完了し（ステップＮ１５）、この後、当該タイトルの再生が終了すると（ステップＮ１６）、本処理は終了する。
【００６８】
以上説明したように第１の実施形態によれば、光ディスクからの再生映像の場面の一部に子供や他の人に見せるには不適当な箇所があった場合、その箇所を目隠しさせることができるので、子供や他の人に不適当な箇所を見られることがなくなり、ユーザにとっては安心することができる。また、ユーザはパスワードを入力することによって、目隠しした箇所を見ることもでき、使い勝手が良いものとなる。また、再生映像の場面の一部の箇所を目隠しするだけなので、再生映像が途切れることがなく、ストーリーの内容の理解を妨げるようなことはない。
【００６９】
図６は第２の実施形態における目隠し設定処理を説明するためのフローチャートである。このフローチャートおよび図１〜図３を参照して第２の実施形態における目隠し設定処理について説明する。この目隠し設定処理は、システムコントローラ１０の目隠し設定処理部１０１によって行われる。
【００７０】
映像を部分的に目隠ししたいタイトルが記録されたＨＤ（ハードディスク）１４からディスク情報を読み出すマウント処理が完了後、モニタ装置１３のディスプレイ装置１３１に表示された再生リストから、ユーザが、映像を部分的に目隠ししたいタイトルをリモコン１１の操作により選択して決定すると、システムコントローラ１０は、当該タイトルに対する再生が指示されたことを検知し（ステップＦ１）、ハードディスク装置３を再生動作させ、ＨＤ１４から当該タイトルの再生を開始させる（ステップＦ２）。
【００７１】
そして、当該タイトルの再生中に、ユーザが目隠しさせたい場面の映像が現れて、リモコン１１の目隠し用キー１１２を押下すると、システムコントローラ１０の目隠し設定処理部１０１の目隠し開始時間設定手段は、ユーザが目隠しの操作を実施するための目隠し開始指示がされたことを検知し（ステップＦ４）、再生を一時停止させる（ステップＦ５）と共に、図示しない計時手段により計時されている現時点の再生経過時間を目隠し開始時間とし、この目隠し開始時間を目隠し位置テーブル２０に設定する（ステップＦ６）。
【００７２】
前記目隠し開始時間が設定された後、システムコントローラ１０の目隠し設定処理部１０１のカーソル表示手段は、フラッシュメモリ６に予め記憶されているカーソル表示用データを読み出し、このカーソル表示用データをＯＳＤ回路１２でＯＳＤ処理し、更に、モニタ装置１３のディスプレイ装置１３１で表示可能な映像信号に変換してモニタ装置１３に出力し、ディスプレイ装置１３１の画面３０上に目隠しの位置と目隠しの面積を決定するためのカーソルＨを表示させる（ステップＦ７）。
【００７３】
ここで、ユーザは、ディスプレイ装置１３１の画面３０を見て、リモコン１１を操作してカーソルＨを動かし、画面３０に表示されている映像の中で、目隠ししたい部分の中心にカーソルＨの中心Ｇを合わせ、更に、その目隠ししたい部分が全部隠れるように、カーソルＨの面積を調整する。このカーソルＨの操作は、最初、画面３０の中心にカーソルＨを表示させ、リモコン１１の上方向キー、下方向キー、左方向キー、右方向キーを動かすことによって、カーソルＨが、上下左右に移動できるようにし、カーソルＨの中心Ｇが決まったら、決定キーを押下することによって、カーソルＨの位置が決定されるようにする。
【００７４】
その後、カーソルＨの面積を決めるため、リモコン１１の上方向キーを押下すると、カーソルＨの上下のラインの間隔が広くなり、下方向キーを押下すると、カーソルＨの上下のラインの間隔が狭くなるようにし、リモコン１１の右方向キーを押下すると、カーソルＨの左右のラインの間隔が広くなり、左方向キーを押下すると、カーソルＨの左右のラインの間隔が狭くなるようにする。このようなカーソルＨの操作が可能なように、システムコントローラ１０目隠し設定処理部１０１のカーソル表示手段には、カーソルＨの位置設定および面積設定を行うカーソル設定手段が含まれている。なお、カーソルＨの位置設定および面積設定を行うためのリモコン１１のキー操作手順は、上記のようなキー手順に限ることはない。
【００７５】
このようにして、ユーザによるリモコン操作によって、目隠しの位置（カーソルＨの位置）と目隠しの面積（カーソルＨの面積）が決定されると（ステップＦ８）、システムコントローラ１０の目隠し設定処理部１０１の目隠しの位置・面積設定手段は、そのカーソルＨにより決定された目隠しの位置と目隠しの面積を目隠し位置テーブル２０に設定する（ステップＦ９）。
【００７６】
ここで、ユーザが、再びリモコン１１の目隠し用キー１１２を押下すると、システムコントローラ１０の目隠し設定処理部１０１の第１の再生開始手段は、再生指示がされたことを検知し（ステップＦ１０）、再生を再び開始させる（ステップＦ１１）。そして、この再生中に、目隠ししたい部分が映像から無くなったとき、目隠し処理を行う必要がなくなるので、ユーザは、再び、リモコン１１の目隠し用キー１１２を押下すると、システムコントローラ１０の目隠し設定処理部１０１の目隠し終了時間設定手段は、目隠し終了指示があったことを検知し（ステップＦ１２）、再生を一時停止させる（ステップＦ１３）と共に、この時点の再生経過時間を目隠し終了時間として目隠し位置テーブル２０に設定する（ステップＦ１４）。
【００７７】
この後、ユーザが、再びリモコン１１の目隠し用キー１１２を押下すると、システムコントローラ１０の目隠し設定処理部１０１の第２の再生開始手段は、再生指示があったことを検知し（ステップＦ１５）、再生を再び開始させる（ステップＦ２）。そして、当該タイトルの再生が終了すると（ステップＦ３）、本処理は終了する。
【００７８】
図７は第２の実施形態における目隠し制御に関する処理を説明するためのフローチャートである。このフローチャートおよび図１〜図３を参照して第２の実施形態における目隠し制御に関する処理について説明する。
【００７９】
ＨＤ１４からディスク情報を読み出すマウント処理が完了後、モニタ装置１３のディスプレイ装置１３１に表示された再生リストから、ユーザが、映像を部分的に目隠ししたいタイトルをリモコン１１の操作により選択して決定すると、システムコントローラ１０は、当該タイトルに対する再生が指示されたことを検知し（ステップＨ１）、ハードディスク装置３を再生動作させ、ＨＤ１４から当該タイトルの再生を開始させる（ステップＨ２）。
【００８０】
ＨＤ１４からタイトルの再生が開始したときに、システムコントローラ１０の目隠し制御部１０２の目隠し設定済みタイトル判定手段は、当該タイトルが目隠し設定済みタイトルであるか否かをフラッシュメモリ６に格納された目隠し設定済み情報に基づいて判定する（ステップＨ３）。即ち、目隠し制御部１０２の目隠し設定済みタイトル判定手段は、ＨＤ１４から読み出したディスク識別情報とフラッシュメモリ６に格納されているディスク識別情報と比較して一致し、更に、当該タイトルのタイトル番号がフラッシュメモリ６に格納されているタイトル番号に一致した場合に、当該タイトルが目隠し設定済みタイトルであると判定する。
【００８１】
そして、当該タイトルが目隠し設定済みタイトルであると判定され、目隠し再生が行われているときに、システムコントローラ１０の目隠し制御部１０２の目隠し開始手段は、フラッシュメモリ６に格納されている目隠し位置テーブル２０を参照して（ステップＨ４）、再生経過時間が目隠し開始時間になったことを検知すると（ステップＨ６）、当該目隠し開始時間に対応する目隠しの位置と目隠しの面積に基づいて、当該タイトルの元のデータへの上書きによって、目的の箇所の目隠しを開始させる（ステップＨ７）。なお、ステップＨ３において、目隠し設定済みタイトルでないと判定されたときは、当該タイトルの再生が終了するまで（ステップＨ１１）、通常の再生が行われる（ステップＨ１０）。
【００８２】
このようにして、目的の箇所への目隠し処理が行われ、システムコントローラ１０の目隠し制御部１０２の目隠し終了手段が、目隠し位置テーブル２０を参照して再生経過時間が目隠し終了時間になったことを検知すると（ステップＨ８）、前記目的の箇所の目隠しを終了させる（ステップＨ９）。このようなステップＨ５〜Ｈ９の処理を繰り返し、目隠し位置テーブル２０の該当内容（当該タイトルの目隠し制御を行うための目隠し開始時間、目隠し終了時間、Ｘ座標、Ｙ座標、面積）の参照が全部完了し（ステップＨ５）、この後、当該タイトルの再生が終了すると（ステップＨ１２）、本処理は終了する。
【００８３】
一方、ステップＨ１において再生指示ではなく、ＨＤ１４からＨＤ１４へのダビング、あるいはＨＤ１４からＤＶＤ１５へのダビング指示がユーザのリモコン操作によって与えられた場合（ステップＨ１３）、ＨＤ１４に対する再生が開始されると共に、ＨＤ１４あるいはＤＶＤ１５に対する記録が開始される（ステップＨ１４）。そして、ステップＨ３、ステップＨ４、ステップＨ５、ステップＨ６、ステップＨ７、ステップＨ８、ステップＨ９、およびステップＨ１２の処理により、記録が終了すると（ステップＨ１６）、目隠し処理された映像を有する当該タイトルがＨＤ１４あるいはＤＶＤ１５にダビングされることになる。ダビングされた後は、システムコントローラ１０は、ハードディスク装置３を消去動作させ、ＨＤ１４に記録されている元のタイトルを消去する。
【００８４】
なお、ステップＨ３において当該タイトルは目隠し設定されていないタイトルであると判定された場合には、ステップＨ１０とステップＨ１１の処理を経て、当該タイトルの記録が終了すると（ステップＨ１５）、当該タイトルがそのままＨＤ１４あるいはＤＶＤ１５にダビングされることになる。
【００８５】
以上説明したように第２の実施形態によれば、ハードディスクからの再生映像の場面の一部に子供や他の人に見せるには不適当な箇所があった場合、その箇所を目隠しさせることができるので、子供や他の人に不適当な箇所を見られることがなくなり、ユーザにとっては安心することができる。また、一度目隠しした箇所は、当該タイトルの元のデータへ上書きするので、元の映像に戻すことができなくなり、これにより、子供や他の人に絶対見せたくない箇所を確実に見ることができなくなり、ユーザにとっては安心することができる。また、再生映像の場面の一部の箇所を目隠しするだけなので、再生映像が途切れることがなく、ストーリーの内容の理解を妨げるようなことはない。
【産業上の利用可能性】
【００８６】
本発明は、ＤＶＤレコーダやハードディスクレコーダなどの情報記録再生装置に利用可能であり、再生映像を部分的に目隠しすることができるようになる。
【図面の簡単な説明】
【００８７】
【図１】本発明の第１，第２の実施形態に係る情報記録再生装置として光ディスク装置とハードディスク装置とが組み込まれた複合型記録再生装置の構成を示すブロック図である。
【図２】第１，第２の実施形態において用いられる目隠し位置テーブルの内容の一例を示す図である。
【図３】第１，第２の実施形態において目隠しの位置と目隠しの面積を設定する様子を示したディスプレイ装置の画面図である。
【図４】第１の実施形態における目隠し設定処理を説明するためのフローチャートである。
【図５】第１の実施形態における目隠し制御に関する処理を説明するためのフローチャートである。
【図６】第２の実施形態における目隠し設定処理を説明するためのフローチャートである。
【図７】第２の実施形態における目隠し制御に関する処理を説明するためのフローチャートである。
【符号の説明】
【００８８】
１    複合型記録再生装置（情報記録再生装置）
６    フラッシュメモリ（メモリ）
１３    モニタ装置
１４    ハードディスク
１５    ＤＶＤ（光ディスク）
２０    目隠し位置テーブル
３０    ディスプレイ装置の画面
１０１    目隠し設定処理部
１０２    目隠し制御部
【図１】
2008140496.tif 000003
【図２】
2008140496.tif 000004
【図３】
2008140496.tif 000005
【図４】
2008140496.tif 000006
【図５】
2008140496.tif 000007
【図６】
2008140496.tif 000008
【図７】
2008140496.tif 000009